(57)【要約】【課題】花及び当該花の茎部分を確実に支持し、一定の形態が維持出来る、ショーケースにおける花の係止構造を提供する。【解決手段】ショーケース内の底板に差込み中箱Ａを固定し、当該差込み中箱Ａの上方に花Ｃを収容するスペースをショーケース内に設け、前記差込み中箱Ａは、箱１と当該箱１内に固定する枠体６から成り、前記箱１は天板２に貫通孔４を有し、前記枠体６は板体から成り、当該板体を前記天板２に対向して箱１内に固定し、前記板体に切り込み１１を入れ、  別途設けた花Ｃの茎を前記貫通孔４及び前記枠体６の切り込み１１に入れて、前記貫通孔４で花Ｃの下面又は茎を係止し、前記切り込み１１で茎を挟持した。【選択図】図１
0003136593.tif 000002
【実用新案登録請求の範囲】
【請求項１】
少なくとも天板と側板とを透明又は半透明にしたショーケースの中に花を係止する構造において、
前記ショーケース内の底板に差込み中箱を固定し、当該差込み中箱の上方に花を収容するスペースをショーケース内に設け、前記差込み中箱は、箱と当該箱内に固定する枠体から成り、前記箱は天板に貫通孔を有し、前記枠体は板体から成り、当該板体を前記天板に対向して箱内に固定し、前記板体に切り込みを入れ、  別途設けた花の茎を前記貫通孔及び前記枠体の切り込みに入れて、前記貫通孔で花の下面又は茎を係止し、前記切り込みで茎を挟持したことを特徴とするショーケースにおける花の係止構造。
【請求項２】
前記枠体は、前記箱の天板と略同形同大であって、一方の相対向する両辺のみを前記天板の相応する両辺より一定長長く設けた板体に切り込みを入れて形成し、当該板体を山形に湾曲させて前記箱の中に嵌め入れ、当該板体を前記箱の天板に対向させたことを特徴とする、前記請求項１に記載のショーケースにおける花の係止構造。
【請求項３】
前記枠体は、板体を長方形状に設け、前記板体を長手方向から折り込んで両側板、上板及び下板から成る略角筒状とし、
当該枠体の側板及び上板を前記箱の側板及び天板と略同形同大に設け、当該枠体の下板を前記箱の底板と同形で一方の相対向する両辺のみ前記箱の底板の相応する両辺の長さより一定長長くし、さらに、当該上板の前記箱の天板の貫通孔に対向する位置に貫通孔を穿ち、当該下板に切り込みを設け、
当該枠体の下板を折り曲げて山形にして前記箱の中に嵌め入れたことを特徴とする、前記請求項１又は２に記載のショーケースにおける花の係止構造。
【請求項４】
前記差込み中箱の底板は、前記ショーケースの底板と略同形同大で、当該ショーケース内に前記差込み中箱を嵌め入れて、当該差込み中箱を前記ショーケース内の底板に載置したことを特徴とする、前記請求項１、２又は３の何れかに記載のショーケースにおける花の係止構造。
【請求項５】
前記板体、又は前記下板に設ける切り込みとして、正三角形の各頂点から下ろした垂線相互を結ぶ線状に切り込みを設けたことを特徴とする、前記請求項１、２、３又は４の何れかに記載のショーケースにおける花の係止構造。
【考案の詳細な説明】
【技術分野】
【０００１】
少なくとも天板と側板を透明にしたショーケース、特に、洋菓子や和菓子を中に入れて持ち運び等に使用する紙製の包装箱の上面に載置するショーケースにおける花の係止構造に関するものである。
【背景技術】
【０００２】
従来、洋菓子や和菓子を中に入れて持ち運びや陳列のために、紙製の包装箱が多く使用されており、これらの紙製の包装箱としては、機能性や装飾性など、常に、研究開発されており、市場には、様々なものが展開されている。
【０００３】
例えば、包装箱自体に季節感を持たせたもの、また、お祝いやクリスマスなど各種の行事の趣向に合わせたものなど、包装箱を見ただけで、雰囲気を表し、楽しくなるような図柄を外面に描いたり、装飾を施したりしている。
【０００４】
そして、現在では、菓子自体の味等の良さのほか、この様な、菓子を入れる包装箱がおしゃれであること、また、人目を引いたり、特別な雰囲気を醸し出していることなども、消費者が商品を購入する際のポイントのひとつと言っても過言ではない。
【０００５】
この様な包装箱として、本願出願人が考え出したものに、上面が開口した縦長の直方体形状の紙製の包装箱の内部に焼き菓子等を詰め、天板を開口部とし、中にカーネーションを載置した天板及び四方の側板を透明にしたショーケースを嵌め入れ、その上からリボンを掛けて、菓子とカーネーションをセットにした、「母の日」用の包装箱がある。
【非特許文献１】柳井紙工株式会社作成「2007春 やないの箱型録」一部抜粋
【考案の開示】
【考案が解決しようとする課題】
【０００６】
しかしながら、この様な「母の日」用の包装箱の上面にセットするショーケースの中に、ただ、小箱を入れて載置し、この小箱に孔や切り込みを入れて、当該孔や切り込みに花の茎部分を差し込んだだけでは、安定が悪く、花が不用意に動いて、落ち着かない。よって、一定の形態が維持出来ず、見た目も良くない。
【０００７】
この考案は、この様な状況に鑑みて行われたもので、花及び当該花の茎部分を確実に支持し、一定の形態が維持出来る、ショーケースにおける花の係止構造を提供して前記課題を解決するものである。
【課題を解決するための手段】
【０００８】
請求項１の考案は、少なくとも天板と側板とを透明又は半透明にしたショーケースの中に花を係止する構造において、前記ショーケース内の底板に差込み中箱を固定し、当該差込み中箱の上方に花を収容するスペースをショーケース内に設け、前記差込み中箱は、箱と当該箱内に固定する枠体から成り、前記箱は天板に貫通孔を有し、前記枠体は板体から成り、当該板体を前記天板に対向して箱内に固定し、前記板体に切り込みを入れ、  別途設けた花の茎を前記貫通孔及び前記枠体の切り込みに入れて、前記貫通孔で花の下面又は茎を係止し、前記切り込みで茎を挟持したショーケースにおける花の係止構造とした。
【０００９】
請求項２の考案は、前記枠体は、前記箱の天板と略同形同大であって、一方の相対向する両辺のみを前記天板の相応する両辺より一定長長く設けた板体に切り込みを入れて形成し、当該板体を山形に湾曲させて前記箱の中に嵌め入れ、当該板体を前記箱の天板に対向させた前記請求項１に記載のショーケースにおける花の係止構造とした。
【００１０】
請求項３の考案は、前記枠体は、板体を長方形状に設け、前記板体を長手方向から折り込んで両側板、上板及び下板から成る略角筒状とし、当該枠体の側板及び上板を前記箱の側板及び天板と略同形同大に設け、当該枠体の下板を前記箱の底板と同形で一方の相対向する両辺のみ前記箱の底板の相応する両辺の長さより一定長長くし、さらに、当該上板の前記箱の天板の貫通孔に対向する位置に貫通孔を穿ち、当該下板に切り込みを設け、当該枠体の下板を折り曲げて山形にして前記箱の中に嵌め入れた前記請求項１又は２に記載のショーケースにおける花の係止構造とした。
【００１１】
請求項４の考案は、前記差込み中箱の底板は、前記ショーケースの底板と略同形同大で、当該ショーケース内に前記差込み中箱を嵌め入れて、当該差込み中箱を前記ショーケース内の底板に載置した前記請求項１、２又は３の何れかに記載のショーケースにおける花の係止構造とした。
【００１２】
請求項５の考案は、前記板体、又は前記下板に設ける切り込みとして、正三角形の各頂点から下ろした垂線相互を結ぶ線状に切り込みを設けた前記請求項１、２、３又は４の何れかに記載のショーケースにおける花の係止構造とした。
【考案の効果】
【００１３】
請求項１及び２の各考案によれば、ショーケース内の差込み中箱の天板の貫通孔に花の茎を挿入し、さらに、前記板体の切り込みに差し入れて当該花を係止し、花は、その茎の下端部が前記枠体の切り込みによって挟持され、さらに、箱の貫通孔及び枠体の貫通孔の周端縁によって花の下面又は茎が支持されるので、無闇に動いたりせず、一定の形態で安定して確実に保持出来る。
【００１４】
請求項３の考案によれば、前記枠体として、長手方向から、両側板、上板及び下板の順で折り込んで角筒状に設けたものを使用し、この枠体を前記差込み中箱の中に嵌め入れたので、当該差込み中箱の中で、この枠体が動かず、より安定して確実に、花の茎等を挟持することが出来る。
【００１５】
請求項４の考案によれば、前記差込み中箱の底板は、前記ショーケースの底板と略同形同大で、当該ショーケース内に前記差込み中箱を嵌め入れて、当該差込み中箱を前記ショーケース内の底板に載置したので、当該ショーケースの中で、この差込み中箱が動かず、より安定して確実に、花の下面又は茎を挟持することが出来る。
【００１６】
また、請求項５の考案によれば、前記板体、又は前記枠体の下板に設ける切り込みとして、正三角形の各頂点から下ろした垂線相互を結ぶ線状に切り込みを設け、当該切込みに花の茎の下端部を差し入れて当該花の茎の下端部を三方から挟持し、さらに、箱の貫通孔及び枠体の貫通孔の周端縁によって花の下面又は茎を支持したので、花自体が無闇に動いたりせず、一定の形態をより安定して確実に保持出来る。
【考案を実施するための最良の形態】
【００１７】
少なくとも天板と側板とを透明又は半透明にしたショーケースの中に花を係止する構造において、前記ショーケース内の底板に差込み中箱を固定し、当該差込み中箱の上方に花を収容するスペースをショーケース内に設け、前記差込み中箱は、箱と当該箱内に固定する枠体から成り、前記箱は天板に貫通孔を有し、前記枠体は板体から成り、当該板体を前記天板に対向して箱内に固定し、前記板体に切り込みを入れ、  別途設けた花の茎を前記貫通孔及び前記枠体の切り込みに入れて、前記貫通孔で花の下面又は茎を係止した。
【００１８】
これにより、花が、無闇に動いたりせず、一定の形態で安定して確実に保持出来る。
【実施例１】
【００１９】
以下、この考案の実施例を図に基づいて説明する。
図１は、この考案の実施例の係止構造によって、花を差込み中箱に係止した状態を示す縦断面端面図である。図２は、同係止構造において使用する差込み中箱を形成する紙箱の展開図である。図３は、同係止構造において使用する差込み中箱を形成する紙箱の斜視図である。図４は、同係止構造において使用する差込み中箱を形成する枠体の展開図である。図５は、同係止構造において使用する差込み中箱を形成する枠体の縦断面端面図である。また、図６は、同係止構造によって、ショーケースの中に載置された差込み中箱に花を係止している状態を示す斜視図である。
【００２０】
この考案の実施例のショーケースにおける花の係止構造を説明する。ここで使用する花Ｃを載置するショーケースＢは、図６に示すように、樹脂製の立方体形状で、天板３１、底板３２及び四方の側板が透明な板体から成る。このショーケースＢの天板３１は、背面側板３３と接続した端縁を折り目にして開閉自在となっており、この天板３１の先端縁に折り目を介して折り込み舌片３１ａを設けている。また、左側板３５及び右側板３６の各上端縁に折り目を介して、夫々折り込み舌片３５ａ、３６ａを設けている。
【００２１】
花Ｃを係止するのは、前記ショーケースＢの中に載置する差込み中箱Ａである。この差込み中箱Ａは、図２及び３に示す扁平な直方体形状の紙箱１と、この紙箱１の中に嵌め入れる、図４及び５に示す紙製の枠体６とによって形成される。この紙箱１の天板２と底板３は、前記ショーケースＢの底板３２と同形であり、一回り小さいサイズとなっており、また、当該紙箱１の側板は、ショーケースＢの側板より小さくなって、当該紙箱１をショーケースＢの中に入れた際、紙箱１の上方に大きな空間を有する構成となっている。また、この紙箱１の天板２の中央には、後述する花Ｃの茎を余裕を持って通すことが出来る大きさの貫通孔４を穿っている。
【００２２】
前記枠体６は、図４に示すように、長方形状の板体を長手方向から側板７、上板８、側板７、下板９、さらに、側板７の順で折り目を設けて形成し、これらの側板７及び上板８は前記紙箱１の側板５及び天板２と同形であって、その大きさは前記紙箱１のものより一回り小さく設け、前記下板９の一方の相対向する両辺のみ前記紙箱１の底板３の長さよりやや長く設けている。
【００２３】
さらに、前記上板８の中央に、前記紙箱１の貫通孔４と同様の大きさの貫通孔１０を穿ち、前記下板９の中央には、正三角形の各頂点から下ろした垂線相互を結ぶ線状に切り込み１１を設けている。この様な板体を長手方向から、各折り目によって折り込み、両側端の側板７を重ねて角筒状の枠体６を形成する。
【００２４】
続いて、図５に示すように、下板９を折り曲げて山形に湾曲させて、この枠体６を、図１に示すように、前記紙箱１の中に嵌め入れる。この時、紙箱１の天板２の貫通孔４の位置、枠体６の貫通孔１０の位置、及び枠体６の切り込み１１の位置が縦方向の同位置で重なるようにする。
【００２５】
次に、この様な差込み中箱Ａを使用して花Ｃを係止する。まず、図６に示すように、ショーケースＢの天板３１を開き、また、左側板３５及び右側板３６の各折り込み舌片３５ａ、３６ａを外側に広げる。その後、ショーケースＢの当該開口部から中に、前記差込み中箱Ａを入れて載置する。そして、この差込み中箱Ａの天板２の貫通孔４及び枠体６の貫通孔１０の中に、予め用意した、一輪の花Ｃの茎の下端部を挿入し、そのまま、当該茎の下端部を枠体６の切り込み１１の中まで差し入れる。
【００２６】
これにより、花Ｃは、その茎の下端部が前記枠体６の切り込み１１の切り込み両側縁の復元力によって、三方から挟持され、さらに、紙箱１の貫通孔４及び枠体６の貫通孔１０によって茎の上部又は花びら等の裏面が支持されて、無闇に動いたりしないで、一定の形態を維持して安定して確実に係止される。ここで使用する花Ｃとしては、生花ではなく、いわゆるプリザーブドフラワー（生花に特殊な加工を施して、生花の瑞々しさや風合いを長期間保持出来る様にしたもの）を使用する。
【００２７】
この後、ショーケースＢの天板３１を閉めて、当該ショーケースＢを、図７に示すように、直方体形状で天板が開口した包装箱Ｄの当該開口部に嵌め入れて係止し、又は当該開口部上に載せて載置し、その上から、リボンＥなどを掛けて当該包装箱ＤとショーケースＢを一体に固定する。
【００２８】
花Ｃの茎の下端部を枠体６の切り込み１１に差し入れた際、差し入れ具合が浅く、一度で上手く差し入れが出来なかった場合、一度、茎部分を抜き、ボールペンなどの先が尖ったものを用いて、前記切り込み１１を少し開いた後、再度、茎部分を差し入れるとよい。
【００２９】
前記実施例では、長方形状の板体を折り込んだ角筒状の枠体６を使用しているが、枠体の形状としては、これに限るものではなく、紙箱１の天板２と略同形同大に設けた板体を、当該箱体１内の中空上であって、一方の相対向する両側面で支持固定したものでもよく（図示省略）、また、図８に示すように、紙箱１の天板２と略同形同大であって、一方の相対向する両辺のみを前記天板２より一定長長く設けた板体１２を湾曲させて紙箱１の中に嵌め入れて使用しても良く、枠体としては、紙箱１の中に嵌合し、天板２に対向したものであれば、他の構成でも良い。
【００３０】
さらに、紙箱として円筒状のものを使用し、この紙箱の天板と同形であって、大きさのみ大きいサイズの円形状の板体の略中央を突出させて山形に設けたものを形成し、この板体を前記円筒状の紙箱の中に嵌め入れて用いてもよい（図示省略）。また、紙箱１の天板２と底板３をショーケースＢの底板３２と同形であり、一回り小さいサイズに設けているが、当該紙箱１の天板２と底板３の大きさや形状はこれに限らず、ショーケースＢの中に載置して安定して固定できるものであれば、ショーケースＢの底板３２よりずっと小さなものでも良く、また、他の形状でも良い。
【００３１】
さらに、枠体６の切り込み１１として、正三角形の各頂点から下ろした垂線相互を結ぶ線状に設けたものを使用しているが、切り込みの形状としては、これに限らず、直線状のものでも良いし、また、十字型に切り込んだものなどでもよい。また、花Ｃとして、一輪のプリザーブドフラワーを使用しているが、使用する花としては、もちろんプリザーブドフラワーに限定するものではなく、また、一輪でなくても、貫通孔に挿入し、切り込みで挟持できるならば複数のものでも良い。
【００３２】
また、差込み中箱Ａを形成する箱及び枠体として、紙製のものを使用しているが、箱及び枠体を形成する材質としては、紙に限らず、薄いプラスチック等、この実施例として実施できるものであれば良い。
【００３３】
また、花Ｃを係止したショーケースＢを包装箱Ｄの上面に載置等して用いているが、用途としては、これに限るものではなく、このショーケースＢをそのまま店頭に載置して飾ってもよく、また、消費者が家に持ち帰った後、部屋で飾るなどしても良い。
【図面の簡単な説明】
【００３４】
【図１】この考案の実施例の係止構造によって、花を差込み中箱に係止した状態を示す縦断面端面図である。
【図２】この考案の実施例の係止構造において使用する差込み中箱を形成する紙箱の展開図である。
【図３】この考案の実施例の係止構造において使用する差込み中箱を形成する紙箱の斜視図である。
【図４】この考案の実施例の係止構造において使用する差込み中箱を形成する枠体の展開図である。
【図５】この考案の実施例の係止構造において使用する差込み中箱を形成する枠体の縦断面端面図である。
【図６】この考案の実施例の係止構造によって、ショーケースの中に載置された差込み中箱に花を係止している状態を示す斜視図である。
【図７】この考案の実施例の係止構造によって、花を係止したショーケースを包装箱の上に載せ、さらに、その上からリボンを掛けた状態、及びショーケースを載せていない包装箱を夫々示す斜視図である。
【図８】この考案の実施例の係止構造において、枠体として、長方形状の板体を湾曲させて差込み中箱の中に嵌め入れた状態を示す端面図である。
【符号の説明】
【００３５】
Ａ    差込み中箱                    Ｂ    ショーケース
Ｃ    花                            Ｄ    包装箱
Ｅ    リボン
１    紙箱                          ２    天板
３    底板                          ４    貫通孔
５    側板                          ６    枠体
７    側板                          ８    上板
９    下板                        １０    貫通孔
１１    切り込み
３１    天板                        ３１ａ  折り込み舌片
３２    底板                        ３３    背面側板
３４    正面側板                    ３５    左側板
３５ａ  折り込み舌片                ３６    右側板
３６ａ  折り込み舌片
【図１】
0003136593.tif 000003
【図２】
0003136593.tif 000004
【図３】
0003136593.tif 000005
【図４】
0003136593.tif 000006
【図５】
0003136593.tif 000007
【図６】
0003136593.tif 000008
【図７】
0003136593.tif 000009
【図８】
0003136593.tif 000010